(57)【要約】【課題】従来の小型掃除器はフィルタ−やゴミ収納容器を有しないので、フィルタ−を備えるとともに、着脱できるゴミ収納容器を有する小型掃除器を提供する。【解決手段】一方に吸込口２を有する筒本体６を形成し、その筒本体６の後部にゴム袋体７を取り付けてなる前記筒本体６の中ほどに、フィルタ−８と空気吸入弁９を位置するとともに、その後部筒本体６上部に設けた開口穴１０に空気排出弁１１を設けてなる前記フィルタ−８の前側下部に排出穴１４を設け、その排出穴１４に着脱可能な収納容器１５を取り付けた小型掃除器１とする。【選択図】図１
2006218314.tif 000002
【特許請求の範囲】
【請求項１】
一方に吸込口を有する筒本体を形成し、その筒本体の後部にゴム袋体を取り付けてなる前記筒本体の中ほどに、フィルタ−と空気吸入弁を位置し、その後部の筒本体上部に設けた開口穴に空気排出弁を設けるとともに、前記フィルタ−の前部筒本体下部に排出穴を設け、その排出穴に着脱可能な収納容器を取り付けた構成を特徴とする小型掃除器。
【請求項２】
上記する収納容器が透明である請求項１に記載する小型掃除器。
【請求項３】
上記するゴム袋体の内側上下にコイルスプリングを設けてなる請求項１又は請求項２に記載する小型掃除器。
【請求項４】
上記するゴム袋体が、二枚の板バネの一端を後部筒体の上下に固定し、他方片を前記するゴム袋体の外面に接着してなる請求項１又は請求項２に記載する小型掃除器。
【発明の詳細な説明】
【技術分野】
【０００１】  本発明は、電源を必要とせず、手動でありながら埃やゴミの吸引や精密機器等の小さな隙間の掃除を効率良く行うことができる、ポケットサイズの小型掃除器に関する。
【背景技術】
【０００２】  従来、手首に小型の掃除機本体を装着して、それに連結したジャバラ管端部に小さな吸い込み口を連結した携帯用小型電気掃除機の技術がある。（例えば、特許文献１参照）【０００３】  また、ゴム半球体の一方に細い吸入口と空気流入弁を設け、その後部に空気流出弁を設けた微小粉塵吸入具の技術もある。（例えば、特許文献２参照）【０００４】
【特許文献１】公開実用新案昭６１−１６７１４６公報（第３−５頁、第１図）
【特許文献２】公開実用新案昭６２−１３４５２９公報（第２−４頁、第１図）
【発明の開示】
【発明が解決しようとする課題】
【０００５】  上記するような小型掃除機の技術が提供されて一定の機能は果たす。しかし、いずれも以下に示すような不便や欠点がある。公開実用新案昭６１−１６７１４６公報による技術は、電源をもって吸引力を得る小型の掃除機本体を手首にバンド留めしてなる掃除機本体に連結したジャバラ管端部に、ペンサイズの吸い込みノズルを構成するものであるが、これは単に普通の電気掃除機を超小型にしただけであって、技術としては新規性及び進歩性があるものとは言えない。またモ−タ−ポンプによる吸引であるため、電池が消耗した場合は使えず、交流の場合は電源が無い所では使えないなどの不便があった。【０００６】  次に、実用新案昭６２−１３４５２９公報による技術は電源を必要としない手動方式であるが、吸入口側に空気流入弁を備え、その後部に位置するゴム半球体の後部に空気流出弁を備えているが、前記する空気流入弁と空気流出弁の間に肝心のフィルタ−が備えられていないので、吸入した粉塵は収納部であるゴム半球体内に収まるが、一部は後部の空気流出弁から出てしまううえ、さらに、再びゴム半球体を握ると折角吸い込んだ粉塵がまた空気流出弁から外に出てしまうなど、掃除器としての基本技術を満していない。また吸い込んだ粉塵はゴム半球体内に収まるが、ゴムは不透明であるため収納量が分からないなどの不便や欠点のきわめて多い技術である。
【課題を解決するための手段】
【０００７】  本発明は上記するような不便や欠点を解消するために、請求項１においては、一方に吸吸込口を有する筒本体を形成し、その筒本体の後部にゴム袋体を取り付けてなる前記筒本体の中ほどに、フィルタ−と空気吸入弁を位置するとともに、その後部の筒本体上部に設けた開口穴に空気排出弁を設けるとともに、前記フィルタ−の前部位の筒本体に排出穴を設け、その排出穴に着脱可能な収納容器を取り付けることで、吸引したゴミを機能的に受け止めて収納して、かつ、空気は効率よく吸入及び排出できるものとする。【０００８】  請求項２においては、上記する収納容器を透明にすることで、収納したゴミの量が一目で分かるようにする。【０００９】  請求項３においては、上記するゴム袋体の内側上下にスプリングを設けることで、ゴム袋体の復元力を強くする。【００１０】  請求項４においては、上記するゴム袋体の外側に、二枚の板バネの一端を後部筒体の上下に固定し、他方片を前記ゴム袋体の外面に接着することで、さらに復元力を強くする。
【発明の効果】
【００１１】  本発明における掃除器は、手の中に収まるほど小型でありながら、一方に細い吸い込み口を、他方にゴム袋体によるポンプを取り付けた筒本体の中ほどにフィルタ−と空気吸入弁を設けた後部の筒本体に空気排出弁を設けるとともに、前記フィルタ−の前には、透明な収納容器をネジ嵌合する掃除器を構成するので、使用する時はゴム袋を握ってから緩めると吸引作用を得て、消しゴムの屑やタバコの灰など小さなゴミや埃を効果的に吸入できるとともに、吸い込み口は細いので精密機器の小さな隙間のゴミを掃除することができる。またフィルタ−手前には透明な収納容器を備えているのでゴミの量が一目で確認できるうえ、溜まったゴミは簡単に取り外して捨てられるとともに、筒本体は二つに分離できるのでフィルタ−の掃除も容易ある、小型でありながら本格的な小型掃除器を提供できる。【００１２】  加えて、実施例２及び３タイプはポンプ機能を果たすゴム袋体の内側や外側にコイルスプリングや板バネを備えているため、ゴム袋体のみの場合に比べてさらに強い復元力を得ることで、犬や猫などのペットに付くノミやシラミなどを吸引駆除できるほど強い吸引力を得られる。また、操作はゴム袋体を握って緩める動作を繰り返すだけであるため子供や高齢者でも容易に使えるとともに、電源も必要としないので旅先などに携行して使えるなど、従来に見られないきわめてユニ−クな小型掃除器である。
【発明を実施するための最良の形態】
【００１３】  電源を用いず、ポケットに収まるほど小型でありながら埃やゴミの吸引や掃除を効率よくできる掃除器とするために、一方に細い吸い込み口を有し、後端部にポンプ体となるゴム袋体を設けた筒本体内にフィルタ−と空気吸入弁を設け、その後ろに空気排出弁を備えるとともに、吸い込み口側に着脱可能なゴミ収納容器を設けた掃除器とする。
【実施例１】
【００１４】  本発明による実施例１の小型掃除器を図１に示す斜視図と図２の要部を欠損した断面図、図３に示す使用例図で説明する。この発明による小型掃除器１は、一方に細い吸込口２を有する前部筒体３にネジ４嵌合する後部筒体５が組み合わされた筒本体６の端部に、ゴム素材による肉圧のゴム袋体７を取り付けた前記後部筒体５の前寄りにフィルタ−８を位置し、そのフィルタ−８の背部に薄いゴム素材による空気吸入弁９を設け、さらに、その上部に設けた開口穴１０に空気排出弁１１を取り付けた外側に保護縁１２を設ける。次に、前記する前部筒体３の後部、つまり前記したフィルタ−８寄りの下部に受け突片１３を設けた部位にネジ４付き排出穴１４を設け、その排出穴１４にネジ４嵌合する透明な収納容器１５を取り付けてなる小型掃除器１を構成する。【００１５】  実施例１の小型掃除器１は以上のような構成であるので、一方が細い筒本体６の後部にポンプ機能を果たすゴム袋体７を備え、後部筒体５の前部にフィルタ−８と空気吸入弁９を位置し、その後部に空気排出弁１１を設けているので、使用する時は、図３のようにゴム袋体７をつまむと内部の空気は空気排出弁１１より押し出され、緩めてゴム袋体７が膨らむに連動して空気吸入弁９が開いて吸引するのに連動して、吸込口２から空気とともに吸引されたゴミはフィルタ−８部で受け止められ、前に落ちるゴミは受け突片１３から排出穴１４に導かれて透明な収納容器１５内に収まる。一定量のゴミが溜まったら取り外して捨てられるとともに、筒本体６はネジ４で分離できるのでフィルタ−８の掃除も容易にできる、超小型で手動式でありながら、吸引、フィルタ−の掃除、ゴミ収納、空気排出と、掃除器の基本形態を十分に満たす小型掃除器１となる。
【実施例２】
【００１６】  実施例２の小型掃除器を、図４に示す一部省略したゴム袋体の拡大断面図で説明する。実施例２の小型掃除器１の基本形態は前記実施例２と同じであるが、ポンプとなるゴム袋体７が異なる。そのゴム袋体７は、筒本体６の後部筒体５端部に取り付けられるゴム袋体７の内部に、二枚の弾性帯板１６，１６の一方を後部筒体５に固定し、他方片を前記ゴム袋体７の内側上下に位置したうえで、その二枚の弾性帯板１６，１６の間にコイルスプリング１７を取り付けてなるゴム袋体７を設けた小型掃除器１を構成する。【００１７】  実施例２の小型掃除器１は、ポンプ機能を果たすゴム袋体７の内側にコイルスプリング１７を介在しているので、ゴム袋体７をつまむとコイルスプリング１７も圧縮され、緩めるとコイルスプリング１７の強い反発力を得て急激に膨らむため、さらに強い吸引力が得られる掃除器１となる。
【実施例３】
【００１８】  実施例３の小型掃除器を図５に示す一部省略したゴム袋体の拡大断面図で説明する。実施例３におけるゴム袋体７もバネを組み合わせるが、実施例２と異なる形態を示す。実施例３においては、二枚の板バネ１８，１８の一方端部を後部筒体５の上下に取り付け、他方片は前記ゴム袋体７の外面上下に接着した小型掃除器１を構成する。【００１９】  実施例３の小型掃除器１のゴム袋体７は、二枚の板バネ１８，１８がゴム袋体７を挟むように接着固定しているので、板バネ１８をつまむとゴム袋体７は扁平になり、緩めると板バネ１８が接着されているゴム袋体７を引っ張るようにしてゴム袋体７を急激に膨らませるので、前記実施例２タイプと同様の強い吸引力を得られる。
【図面の簡単な説明】
【００２０】
【図１】本発明による実施例１の小型掃除器を示す斜視図である。
【図２】実施例１の小型掃除器の要部を欠損した断面図である。
【図３】実施例１の小型掃除器の使用例図である。
【図４】実施例２の小型掃除器のゴム袋体を示す拡大断面図である。
【図５】実施例３の小型掃除器のゴム袋体を示す拡大断面図である。
【符号の説明】
【００２１】１  小型掃除器
２  吸込口
３  前部筒体
４  ネジ
５  後部筒体
６  筒本体
７  ゴム袋体
８  フィルタ−
９  空気吸入弁
１０  開口穴
１１  空気排出弁
１２  保護縁
１３  受け突片
１４  排出穴
１５  収納容器
１６  弾性帯板
１７  コイルスプリング
１８  板バネ
【図１】
2006218314.tif 000003
【図２】
2006218314.tif 000004
【図３】
2006218314.tif 000005
【図４】
2006218314.tif 000006
【図５】
2006218314.tif 000007
【手続補正書】
【提出日】平成18年5月19日(2006.5.19)
【手続補正１】
【補正対象書類名】明細書
【補正対象項目名】００１４
【補正方法】変更
【補正の内容】
【００１４】  本発明による実施例１の小型掃除器を図１に示す斜視図と図２の要部を欠損した拡大断面図、図３に示す使用例図で説明する。この発明による小型掃除器１は、一方に細い吸込口２を有する前部筒体３にネジ４嵌合する後部筒体５が組み合わされた筒本体６の端部に、ゴム素材による肉圧のゴム袋体７を取り付けた前記後部筒体５の前寄りにフィルタ−８を位置し、そのフィルタ−８の背部に薄いゴム素材による空気吸入弁９を設け、さらに、その上部に設けた開口穴１０に空気排出弁１１を取り付けた外側に保護縁１２を設ける。次に、前記する前部筒体３の後部、つまり前記したフィルタ−８寄りの下部に受け突片１３を設けた部位にネジ４付き排出穴１４を設け、その排出穴１４にネジ４嵌合する透明な収納容器１５を取り付けてなる小型掃除器１を構成する。
【手続補正２】
【補正対象書類名】明細書
【補正対象項目名】００２０
【補正方法】変更
【補正の内容】
【００２０】
【図１】本発明による実施例１の小型掃除器を示す斜視図である。
【図２】実施例１の小型掃除器の要部を欠損した拡大断面図である。
【図３】実施例１の小型掃除器の使用例図である。
【図４】実施例２の小型掃除器のゴム袋体を示す拡大断面図である。
【図５】実施例３の小型掃除器のゴム袋体を示す拡大断面図である。
【手続補正３】
【補正対象書類名】図面
【補正対象項目名】図２
【補正方法】変更
【補正の内容】
【図２】
2006218314.tif 000008